(57)【要約】【課題】立体駐車場鉄骨を足場の支持に利用することにより、立体駐車場の鉄骨工事と立体駐車場周囲の躯体工事とを並行して行うことができて、大幅な工期短縮が可能となる躯体構築方法を提供する。【解決手段】立体駐車場Ａが内部に取り込まれた建物Ｂの躯体２を構築するにあたり、建物の所定階層分の躯体２に対向して構築された立体駐車場鉄骨１の上に、揚重機によって吊下げ可能なステージ３とステージ上に組み立てられた建物所定階層分の枠組足場４とから成るユニット足場付き仮設ステージＣを設置する工程と、当該ユニット足場付き仮設ステージを使用して前記躯体２の上部に建物の所定階層分の躯体２を構築する工程と、当該ユニット足場付き仮設ステージを一時的に撤去する工程と、前記立体駐車場鉄骨１の上部に建物所定階層分の立体駐車場鉄骨用の鉄骨ユニット１２を継ぎ足す工程を繰り返す。【選択図】図１
2009030259.tif 000002
【特許請求の範囲】
【請求項１】
立体駐車場が内部に取り込まれた建物の躯体を構築するにあたり、建物の所定階層分の躯体に対向して構築された立体駐車場鉄骨の上に、揚重機によって吊下げ可能なステージとステージ上に組み立てられた建物の所定階層分の足場とから成るユニット足場付き仮設ステージを設置する工程と、当該ユニット足場付き仮設ステージを使用して前記躯体の上部に建物の所定階層分の躯体を構築する工程と、当該ユニット足場付き仮設ステージを一時的に撤去する工程と、前記立体駐車場鉄骨の上部に建物の所定階層分の立体駐車場鉄骨を継ぎ足す工程を繰り返すことを特徴とする立体駐車場鉄骨を利用した躯体構築方法。
【請求項２】
建物の所定階層分の立体駐車場鉄骨が先組みされた鉄骨ユニットであることを特徴とする請求項１に記載の立体駐車場鉄骨を利用した躯体構築方法。
【請求項３】
ユニット足場付き仮設ステージの下面に立体駐車場鉄骨の本設柱鉄骨と嵌合する嵌合部が形成されていることを特徴とする請求項１又は２に記載の立体駐車場鉄骨を利用した躯体構築方法。
【発明の詳細な説明】
【技術分野】
【０００１】
本発明は、建物内部に立体駐車場を設置する場合の立体駐車場周囲の吹抜け状となる躯体の構築方法に関する。
【背景技術】
【０００２】
近年、都心部では超高層集合住宅の建設が増加しており、これらの超高層集合住宅においては、タワー式の立体駐車場が建物の内部に取り込まれる計画が多い。この場合、立体駐車場の設置部分は吹抜け状となる。従来では、この立体駐車場周囲の吹抜け状となる躯体を構築するにあたって、次の方法が採用されていた。
（１）図１４に示すように、立体駐車場の構築予定位置に積み上げた枠組足場４を使用して、吹抜け周囲の躯体を構築する方法。
（２）特許文献１，２に記載されているようなジャンピング足場やセルフクライミング足場等を使用して、吹抜け周囲の躯体を構築する方法。
【０００３】
前者の構築方法による場合は、膨大な数量の枠組足場４とその組立手間が必要であるばかりでなく、枠組足場４の解体撤去が完了した後でないと、枠組足場４が障害物になって立体駐車場の鉄骨工事を開始できないので、工期が長くなるという問題点があった。
【０００４】
後者の方法では、ジャンピング足場やセルフクライミング足場を躯体に支持させるための金具（例えば、躯体側面から跳ね出した状態に設けられるブラケットや壁つなぎ、躯体に埋設されるアンカー類などである。）を設置することが必要であり、これらの金具の設置や上層階への盛り替えに多大の手間が掛かる上、ジャンピング足場やセルフクライミング足場が障害物になって、吹抜け部への鉄骨の吊り込みが行えないので、躯体の構築後でないと、立体駐車場の鉄骨工事を開始できず、工期が長くなる点では、前者の構築方法と大同小異である。
【０００５】
【特許文献１】特許第３０７７５５９号
【特許文献１】特開２００６−２９９５５９号公報
【発明の開示】
【発明が解決しようとする課題】
【０００６】
本発明は、上記の問題点を踏まえてなされたものであって、その目的とするところは、立体駐車場鉄骨を足場の支持に利用することにより、立体駐車場の鉄骨工事と立体駐車場周囲の躯体工事とを並行して行うことができて、大幅な工期短縮が可能となる躯体構築方法を提供することにある。
【課題を解決するための手段】
【０００７】
上記の目的を達成するために本発明が講じた技術手段は次の通りである。即ち、請求項１に記載の発明による立体駐車場鉄骨を利用した躯体構築方法は、立体駐車場が内部に取り込まれた建物の躯体を構築するにあたり、建物の所定階層分の躯体に対向して構築された立体駐車場鉄骨の上に、揚重機によって吊下げ可能なステージとステージ上に組み立てられた建物の所定階層分の足場とから成るユニット足場付き仮設ステージを設置する工程と、当該ユニット足場付き仮設ステージを使用して前記躯体の上部に建物の所定階層分の躯体を構築する工程と、当該ユニット足場付き仮設ステージを一時的に撤去する工程と、前記立体駐車場鉄骨の上部に建物の所定階層分の立体駐車場鉄骨を継ぎ足す工程を繰り返すことを特徴としている。
【０００８】
請求項２に記載の発明は、請求項１に記載の立体駐車場鉄骨を利用した躯体構築方法であって、建物の所定階層分の立体駐車場鉄骨が先組みされた鉄骨ユニットであることを特徴としている。
【０００９】
請求項３に記載の発明は、請求項１又は２に記載の立体駐車場鉄骨を利用した躯体構築方法であって、ユニット足場付き仮設ステージの下面に立体駐車場鉄骨の本設柱鉄骨と嵌合する嵌合部が形成されていることを特徴としている。
【発明の効果】
【００１０】
請求項１に記載の発明によれば、建物の所定階層分の躯体に対向して構築された立体駐車場鉄骨の上に、ユニット足場付き仮設ステージを設置することにより、当該ユニット足場付き仮設ステージの重量を立体駐車場鉄骨に支持させ、この状態で、当該ユニット足場付き仮設ステージを使用して前記躯体の上部に建物の所定階層分の躯体を構築し、しかる後、前記ユニット足場付き仮設ステージを一時的に撤去した状態で、前記立体駐車場鉄骨の上部に建物所定階層分の立体駐車場鉄骨を継ぎ足し、これらの工程の繰返しによって、立体駐車場の周囲の躯体を構築するので、立体駐車場の鉄骨工事と立体駐車場周囲の躯体工事とを並行して行うことができ、大幅な工期短縮が可能である。
【００１１】
また、立体駐車場鉄骨でユニット足場付き仮設ステージを支持するので、従来方法のようなジャンピング足場やセルフクライミング足場を躯体に支持させるための金具やその設置・盛り替え作業が不要であり、しかも、立体駐車場鉄骨の構築が進行するにつれてユニット足場付き仮設ステージを上層階へと転用して行くので、仮設資材も少なくて済む。
【００１２】
請求項１に記載の発明において、立体駐車場鉄骨としては、鋼材を単体の状態、若しくは、幾つかの鋼材を連結した状態で、構築位置に搬入し、現場で組み立てるようにしてもよいが、ユニット足場付き仮設ステージを一時的に撤去した状態で、先行する立体駐車場鉄骨の上部に建物所定階層分の立体駐車場鉄骨を継ぎ足すので、請求項２に記載の発明のように、所定階層分の立体駐車場鉄骨を先組みされた鉄骨ユニットとして、吊り込むことが可能となる。そして、請求項２に記載の発明によれば、ユニット足場付き仮設ステージを一時的に撤去し、先組みされた鉄骨ユニットを吊り込んで、先行して構築された立体駐車場鉄骨の上に継ぎ足すことになるので、鋼材の揚重回数が低減されることになり、立体駐車場鉄骨の構築を能率よく行うことができる。
【００１３】
請求項３に記載の発明によれば、ユニット足場付き仮設ステージの下面に立体駐車場鉄骨の本設柱鉄骨と嵌合する嵌合部が形成されているので、嵌合部を立体駐車場鉄骨の本設柱鉄骨と嵌合させることによって、ユニット足場付き仮設ステージの位置決めを行え、立体駐車場鉄骨に対するユニット足場付き仮設ステージの設置作業を容易に行うことができる。
【発明を実施するための最良の形態】
【００１４】
図１〜図１０は、本発明に係る立体駐車場鉄骨を利用した躯体構築方法の一例を示し、図１１は、立体駐車場Ａが内部に取り込まれた建物Ｂの一例を示す。１は立体駐車場鉄骨、２は立体駐車場周囲の吹抜け状となる躯体であり、内部耐震壁を構成している。図１に示すＣはユニット足場付き仮設ステージである。
【００１５】
ユニット足場付き仮設ステージＣは、タワークレーン等の揚重機によって吊下げ可能なステージ３と、ステージ３上に組み立てられた建物所定階層分（例えば２層分）の足場（図示の例では枠組足場４である。）とから構成されている。前記ステージ３は、図２に示すように、枠組足場４を設置する作業床となる鋼板５と、それを支持する鋼製の根太６及び大曳き７と、大曳き７上に設けた吊り金具８、吊下げ用ワイヤーロープ９、トラバーサ
ー１０等で構成されている。
【００１６】
ユニット足場付き仮設ステージＣの隅角部下面には、立体駐車場鉄骨１の本設柱鉄骨１ａと嵌合する嵌合部１１が設けられている。具体的には、図２に示すように、大曳き７を構成するＨ形鋼の両端部下面に角筒状の鋼管を溶接して、嵌合部１１を構成してある。嵌合部１１の下端開口部は下広がりのテーパー面に形成されており、ユニット足場付き仮設ステージＣを揚重機によって吊り込む際、テーパー面の案内によって、嵌合部１１を立体駐車場鉄骨１の本設柱鉄骨１ａに容易に嵌合し得るように配慮されている。そして、嵌合部１１が立体駐車場鉄骨１の本設柱鉄骨１ａと嵌合することにより、ユニット足場付き仮設ステージＣが位置決めされ、且つ、立体駐車場鉄骨１で支持されるように構成されている。
【００１７】
尚、嵌合部１１を立体駐車場鉄骨１の本設柱鉄骨１ａに嵌合した状態では、ユニット足場付き仮設ステージＣの重量が立体駐車場鉄骨１の本設柱鉄骨１ａに加わるので、嵌合部１１と本設柱鉄骨１ａをボルト連結しなくとも、ユニット足場付き仮設ステージＣは安定に保たれるが、図示の例では、安全性向上のため、図３〜図５に示すように、嵌合部１１の側面にボルト孔ａを設けて、当該ボルト孔ａと本設柱鉄骨１ａのフランジに設けられた本設柱鉄骨接合用のボルト孔ｂとにわたって長ボルトｃを挿入し、ナットｄで抜け止めするように構成してある。
【００１８】
立体駐車場鉄骨１を利用した躯体構築方法の施工手順を図面に基づいて説明すると、次の通りである。即ち、図１１で示したような立体駐車場Ａが内部に取り込まれた建物Ｂにおける立体駐車場Ａの周囲の躯体２を構築するにあたり、先ず、図６の（Ａ）に示すように、地上に設置した枠組足場４を使用して、建物Ｂの所定階層分（例えば、２層分）の躯体２を構築する。
【００１９】
そして、枠組足場４を解体撤去した後、図６の（Ｂ）に示すように、予め、別の場所で先組みされた鉄骨ユニット１２をタワークレーン等の揚重機で吊り込み、図７の（Ａ）に示すように、建物Ｂの所定階層分の躯体２に対向する立体駐車場鉄骨１を構築する。
【００２０】
しかる後、図７の（Ｂ）に示すように、ユニット足場付き仮設ステージＣを揚重機によって吊り込み、図８の（Ａ）に示すように、立体駐車場鉄骨１の上に、ユニット足場付き仮設ステージＣを設置して、当該ユニット足場付き仮設ステージＣの重量を立体駐車場鉄骨１に支持させる。
【００２１】
この状態で、当該ユニット足場付き仮設ステージＣを使用して、図８の（Ｂ）に示すように、前記躯体２の上部に建物Ｂの所定階層分（例えば、２層分）の躯体２を構築する。
【００２２】
次に、図９の（Ａ）に示すように、タワークレーン等の揚重機を使用して、前記ユニット足場付き仮設ステージＣを一時的に撤去する。そして、図９の（Ｂ）に示すように、ユニット足場付き仮設ステージＣが撤去された吹抜け状部分に、予め別の場所で先組みされた次の鉄骨ユニット１２をタワークレーン等の揚重機で吊り込み、先行して構築された立体駐車場鉄骨１の上部に建物所定階層分（例えば、２層分）の立体駐車場鉄骨１を継ぎ足す。以下、図１０に示すように、図８〜図９の工程を繰り返すことによって、図１１で示したような立体駐車場Ａが内部に取り込まれた建物Ｂにおける立体駐車場Ａの周囲の躯体２を構築することができる。
【００２３】
尚、上下の鉄骨ユニット１２，１２同士の接合は、下側の鉄骨ユニット１２における最上段の梁鉄骨１ｂに取り付けたコラムステージ（図示せず）を使用して行われる。ユニット足場付き仮設ステージＣの嵌合部１１と本設柱鉄骨１ａとのボルト連結も前記コラムス
テージを作業床として行うことができる。この場合、図１に示したように、ステージ３の一部に開閉可能な開口部３ａを設けておけば、立体駐車場Ａの周囲の躯体２に作業者の出入りする開口部がなくても、また、ユニット足場付き仮設ステージＣと躯体２の隙間が狭くても、コラムステージとユニット足場付き仮設ステージＣ間の作業者の移動を容易に行うことができる。
【００２４】
上記の構成によれば、建物Ｂの所定階層分の躯体２に対向して構築された立体駐車場鉄骨１の上に、ユニット足場付き仮設ステージＣを設置することにより、当該ユニット足場付き仮設ステージＣの重量を立体駐車場鉄骨１に支持させ、この状態で、当該ユニット足場付き仮設ステージＣを使用して前記躯体２の上部に建物Ｂの所定階層分の躯体２を構築し、しかる後、前記ユニット足場付き仮設ステージＣを一時的に撤去した状態で、前記立体駐車場鉄骨１の上部に建物所定階層分の立体駐車場鉄骨１を継ぎ足し、これらの工程の繰返しによって、立体駐車場Ａの周囲の躯体２を構築するので、立体駐車場Ａの鉄骨工事と立体駐車場周囲の躯体工事とを並行して行うことができ、大幅な工期短縮が可能である。
【００２５】
また、立体駐車場鉄骨１でユニット足場付き仮設ステージＣを支持するので、従来方法のようなジャンピング足場やセルフクライミング足場を躯体に支持させるための金具やその設置・盛り替え作業が不要であり、しかも、立体駐車場鉄骨１の構築が進行するにつれてユニット足場付き仮設ステージＣを上層階へと転用して行くので、仮設資材も少なくて済む。
【００２６】
殊に、上記の構成によれば、立体駐車場鉄骨１として先組みされた鉄骨ユニット１２を作製しておき、ユニット足場付き仮設ステージＣを一時的に撤去した状態で、当該鉄骨ユニット１２を吊り込み、先行して構築された立体駐車場鉄骨１の上に継ぎ足すようにしたので、鋼材の揚重回数が低減されることになり、立体駐車場鉄骨１の構築を能率よく行うことができる。
【００２７】
以上、実施形態について説明したが、本発明は上記の実施形態にのみ限定されるものではなく、本発明の要旨を逸脱しない範囲で種々の実施形態を採用できることは勿論である。例えば、本発明は、図１１に示したように、立体駐車場Ａの周囲４面が躯体２で囲まれた建物の他、図１２に示すように、立体駐車場Ａの周囲３面が躯体２で囲まれた建物や、図１３に示すように、立体駐車場Ａの周囲２面が躯体２で囲まれた建物おいて、立体駐車場Ａの周囲３面又は周囲２面の躯体２を構築する場合にも適用可能である。また、上記の実施形態では、図６の（Ａ）の工程において、枠組足場４を地上に設置したが、この枠組足場４に代えて、ユニット足場付き仮設ステージＣを用いることも可能である。図示しないが、前述した嵌合部１１に代えて、ユニット足場付き仮設ステージＣの隅角部下面に本設柱鉄骨１ａと同一断面のＨ形鋼を設け、上下の本設柱鉄骨１ａ同士の接合と同様に、当該Ｈ形鋼と本設柱鉄骨１ａを、スプライスプレートを介してボルト連結するように構成してもよい。
【図面の簡単な説明】
【００２８】
【図１】本発明の実施形態を示す概略斜視図である。
【図２】要部の側面図である。
【図３】要部の側面図である。
【図４】要部の正面図である。
【図５】要部の横断平面図である。
【図６】施工手順の説明図である。
【図７】図６に続く施工手順の説明図である。
【図８】図７に続く施工手順の説明図である。
【図９】図８に続く施工手順の説明図である。
【図１０】図９に続く施工手順の説明図である。
【図１１】立体駐車場が内部に取り込まれた建物の一例を示す概略平面図である。
【図１２】立体駐車場が内部に取り込まれた建物の他の例を示す概略平面図である。
【図１３】立体駐車場が内部に取り込まれた建物の他の例を示す概略平面図である。
【図１４】従来例を示す概略側面図である。
【符号の説明】
【００２９】
Ａ  立体駐車場
Ｂ  建物
Ｃ  ユニット足場付き仮設ステージ
１  立体駐車場鉄骨
ａ，ｂ  ボルト孔
ｃ  長ボルト
ｄ  ナット
１ａ  本設柱鉄骨
１ｂ  梁鉄骨
２  躯体
３  ステージ
４  枠組足場
５  鋼板
６  根太
７  大曳き
８  吊り金具
９  吊下げ用ワイヤーロープ
１０  トラバーサー
１１  嵌合部
１２  鉄骨ユニット
【図１】
2009030259.tif 000003
【図２】
2009030259.tif 000004
【図３】
2009030259.tif 000005
【図４】
2009030259.tif 000006
【図５】
2009030259.tif 000007
【図６】
2009030259.tif 000008
【図７】
2009030259.tif 000009
【図８】
2009030259.tif 000010
【図９】
2009030259.tif 000011
【図１０】
2009030259.tif 000012
【図１１】
2009030259.tif 000013
【図１２】
2009030259.tif 000014
【図１３】
2009030259.tif 000015
【図１４】
2009030259.tif 000016